(57)【要約】【課題】遺失物を容易に捜索できる遺失物捜索装置を提供する。【解決手段】タグ読み取り端末を特定する端末番号と該タグ読み取り端末が設置される場所の情報とを関連付けて予め記憶しておく端末設置場所記憶手段と、タグ識別番号を含む遺失物問い合わせメッセージを利用者から受信する問い合わせ受信手段と、遺失物問い合わせメッセージに含まれるタグ識別番号が記録されたタグを検出したタグ読み取り端末を特定する端末特定手段と、端末特定手段によって特定されたタグ読み取り端末が設置された場所の情報を端末設置場所記憶手段より読み出して、この場所の情報を利用者に対して送信する場所情報送信手段を備える。【選択図】　　図１
2004083219.tif 000002
【特許請求の範囲】
【請求項１】
タグ読み取り端末を特定する端末番号と該タグ読み取り端末が設置される場所の情報とを関連付けて予め記憶しておく端末設置場所記憶手段と、
タグ識別番号を含む遺失物問い合わせメッセージを利用者から受信する問い合わせ受信手段と、
前記遺失物問い合わせメッセージに含まれるタグ識別番号が記録されたタグを検出したタグ読み取り端末を特定する端末特定手段と、
前記端末特定手段によって特定されたタグ読み取り端末が設置された場所の情報を前記端末設置場所記憶手段より読み出して、この場所の情報を前記利用者に対して送信する場所情報送信手段と
を備えたことを特徴とする遺失物捜索装置。
【請求項２】
設置場所が既知である複数のタグ読み取り端末により遺失物に取り付けられたタグに付与されたタグ識別番号を読み取ることで遺失物を捜索する遺失物捜索方法であって、
利用者からインターネットを介してタグ識別番号を含む遺失物問い合わせメッセージを受信する問い合わせ受信過程と、
前記遺失物問い合わせメッセージに含まれるタグ識別番号が記録されたタグを検出したタグ読み取り端末を特定する端末特定過程と、
予め記憶された設置場所情報に基づいて前記特定されたタグ読み取り端末が設置された場所を特定し、この特定した場所の情報を前記利用者に対してインターネットを介して送信する場所情報送信過程と
を有することを特徴とする遺失物捜索方法。
【請求項３】
設置場所が既知である複数のタグ読み取り端末により遺失物に取り付けられたタグに付与されたタグ識別番号を読み取ることで遺失物を捜索する遺失物捜索プログラムであって、
利用者からインターネットを介してタグ識別番号を含む遺失物問い合わせメッセージを受信する問い合わせ受信処理と、
前記遺失物問い合わせメッセージに含まれるタグ識別番号が記録されたタグを検出したタグ読み取り端末を特定する端末特定処理と、
予め記憶された設置場所情報に基づいて前記特定されたタグ読み取り端末が設置された場所を特定し、この特定した場所の情報を前記利用者に対してインターネットを介して送信する場所情報送信処理と
をコンピュータに行わせることを特徴とする遺失物捜索プログラム。
【発明の詳細な説明】
【０００１】
【発明の属する技術分野】
本発明は、遺失物を容易に捜索することができる遺失物捜索装置、遺失物捜索方法及び遺失物捜索プログラムに関する。
【０００２】
【従来の技術】
遺失物の捜索は、拾得した者が駅や空港、警察等へ届け出を行い、物を遺失した者は、心当たりがある駅や空港、警察などに対して遺失物が拾得されていないかを問い合わせ、届け出の内容と遺失物の問い合わせ内容に基づいて捜索を行うのが一般的ある。
【０００３】
【発明が解決しようとする課題】
ところで、物を遺失した者は、どこで遺失したかがはっきりしない場合、遺失物の問い合わせをどこに対して行えば分からず遺失物の捜索を諦めてしまうということがある。また、拾得者が届け出るより先に遺失物の問い合わせを行った場合、遺失物を捜索することができないという問題もある。さらには、遺失物の特定を行う場合に、物の形態や色、遺失した場所等で特定する必要があるために、必ずしも一意に特定できるとは限らないという問題もある。
【０００４】
本発明は、このような事情に鑑みてなされたもので、遺失物を容易に捜索することができる遺失物捜索装置、遺失物捜索方法及び遺失物捜索プログラムを提供することを目的とする。
【０００５】
【課題を解決するための手段】
請求項１に記載の発明は、タグ読み取り端末を特定する端末番号と該タグ読み取り端末が設置される場所の情報とを関連付けて予め記憶しておく端末設置場所記憶手段と、タグ識別番号を含む遺失物問い合わせメッセージを利用者から受信する問い合わせ受信手段と、前記遺失物問い合わせメッセージに含まれるタグ識別番号が記録されたタグを検出したタグ読み取り端末を特定する端末特定手段と、前記端末特定手段によって特定されたタグ読み取り端末が設置された場所の情報を前記端末設置場所記憶手段より読み出して、この場所の情報を前記利用者に対して送信する場所情報送信手段とを備えたことを特徴とする。
【０００６】
請求項２に記載の発明は、設置場所が既知である複数のタグ読み取り端末により遺失物に取り付けられたタグに付与されたタグ識別番号を読み取ることで遺失物を捜索する遺失物捜索方法であって、利用者からインターネットを介してタグ識別番号を含む遺失物問い合わせメッセージを受信する問い合わせ受信過程と、前記遺失物問い合わせメッセージに含まれるタグ識別番号が記録されたタグを検出したタグ読み取り端末を特定する端末特定過程と、予め記憶された設置場所情報に基づいて前記特定されたタグ読み取り端末が設置された場所を特定し、この特定した場所の情報を前記利用者に対してインターネットを介して送信する場所情報送信過程とを有することを特徴とする。
【０００７】
請求項３に記載の発明は、設置場所が既知である複数のタグ読み取り端末により遺失物に取り付けられたタグに付与されたタグ識別番号を読み取ることで遺失物を捜索する遺失物捜索プログラムであって、利用者からインターネットを介してタグ識別番号を含む遺失物問い合わせメッセージを受信する問い合わせ受信処理と、前記遺失物問い合わせメッセージに含まれるタグ識別番号が記録されたタグを検出したタグ読み取り端末を特定する端末特定処理と、予め記憶された設置場所情報に基づいて前記特定されたタグ読み取り端末が設置された場所を特定し、この特定した場所の情報を前記利用者に対してインターネットを介して送信する場所情報送信処理とをコンピュータに行わせることを特徴とする。
【０００８】
【発明の実施の形態】
以下、本発明の一実施形態による遺失物捜索装置を図面を参照して説明する。図１は同実施形態の構成を示すブロック図である。この図において、符号１は、遺失物捜索を行う管理サーバである。符号２、３は、遠隔地間で通信を行う通信装置である。符号４１〜４５は、遺失物（手帳）７に取り付けられたタグ８との間で通信を行うタグ読み取り端末である。このタグ読み取り端末４１〜４５は、駅、空港、タクシー会社、バス会社等の交通機関の遺失物センターや交番、警察署などの遺失物が集まる所の遺失物保管場所に設置される。図１においては、５台のタグ読み取り端末４１〜４５のみを図示したが、６台以上のタグ読み取り端末が通信装置２、３を介して管理サーバ１に接続されていてもよい。符号５は、インターネットであり、管理サーバ１が接続される。符号６は、インターネット５に接続可能なパソコンや携帯電話端末であり、ここでは利用者端末と称する。
【０００９】
符号１１は、利用者端末６からの遺失物捜索問い合わせを受信する問い合わせ受信部である。符号１２は、タグ読み取り端末４１〜４５のそれぞれの設置場所が予め記憶された端末設置場所記憶部である。端末設置場所記憶部１２には、タグ読み取り端末４１〜４５を一意に特定することができる端末番号と設置場所名称、住所、電話番号が関連付けられて記憶されている。符号１３は、指定されたタグ８を検出することができたタグ読み取り端末を特定するための端末特定部である。符号１４は、端末特定部１３において特定されたタグ読み取り端末の設置場所を利用者端末６へ通知する場所情報送信部である。
【００１０】
次に、図２を参照して、図１に示す遺失物捜索装置の動作を説明する。図２は、図１に示す遺失物捜索装置の動作を示すフローチャートである。
まず、利用者は、管理サーバ１に対してサービスの提供を受けるユーザ登録を行う。これを受けて、管理サーバ１の運用管理業者は、利用者の要求する数のタグを販売する。このタグは、ＲＦＩＤ（Ｒａｄｉｏ　Ｆｒｅｑｕｅｎｃｙ　ＩＤｅｎｔｉｆｉｃａｔｉｏｎ　Ｓｙｓｔｅｍ）等で用いられるＩＣタグであり、ユーザ登録時に付与されたタグ識別番号と利用者の電子メールアドレスが記録されている。このタグ識別番号は、利用者を一意に特定することができる番号で構成される。また、このタグには予めプログラムが書き込まれており、このプログラムによりタグ読み取り端末４１〜４５にいずれかから送信される捜索データに反応してタグ識別番号を含む電波を送信するようになっている。販売されたタグは、利用者に対して郵送される。利用者は、このタグを紛失しては困るものに貼り付けるとともにタグ識別番号を控えておく。ここでは、例として遺失物７を利用者の手帳とし、この遺失物７はタグ読み取り端末４２の通信エリア内に存在するものとして説明する。
【００１１】
次に、利用者は、タグ８を貼り付けた手帳を紛失したことに気がついた時点で、遺失物問い合わせ用の電子メールアドレスに対して、タグ識別番号を含む問い合わせメッセージを送信する。これを受けて、問い合わせ受信部１１は、この遺失物問い合わせメッセージを受信する（ステップＳ１）。続いて、問い合わせ受信部１１は、このメッセージを受信した時点で、端末特定部１３に対して、遺失物７に貼り付けたタグ８を検出することができる端末を特定する指示を出す。この指示には、タグ識別番号が含まれる。
【００１２】
次に、端末特定部１３は、タグ読み取り端末４１〜４５のそれぞれに対して順にタグ識別番号を含む捜索要求を送信する。これを受けてタグ読み取り端末４１〜４５のそれぞれは、タグ識別番号を含む捜索データを通信エリア内に送信することにより遺失物捜索を行う（ステップＳ２）。これを受けて、各タグ読み取り端末４１〜４５の通信エリア内のタグ８は、電波を受けると内部に記録されているタグ識別番号を含む応答データをタグ読み取り端末に対して送信する。この応答データを受信したタグ読み取り端末４２は、自己の端末番号とタグ８に記録されたタグ識別番号を含む捜索結果を端末特定部１３に対して送信する。
【００１３】
次に、端末特定部１３は、全ての端末から送信されるタグ識別番号の中に捜索要求に対する捜索結果が含まれるか否かによって、遺失物が見つかったか否かを判定する（ステップＳ３）。この結果、捜索結果が受信されなかった場合、すなわち遺失物が見つからなかった場合、端末特定部１３は、タグ識別番号と見つからなかった旨を場所情報送信部１４へ通知する。これを受けて、場所情報送信部１４は、問い合わせ受信部１１から問い合わせメッセージを送信した利用者の電子メールアドレスを受取り、この電子メールアドレスに対して、遺失物は見つからなかったことを通知するための電子メールを送信する（ステップＳ４）。
【００１４】
一方、捜索要求に対する捜索結果が受信できた場合、端末特定部１３は、捜索結果に含まれる端末番号に基づいて、端末設置場所記憶部１２内を検索して、この端末番号に対応する設置場所名称、住所、電話番号を取得することによって端末の設置場所を特定する（ステップＳ５）。ここで得られる情報は、例えば設置場所名称「ｘｘ駅の遺失物センター」、住所「東京都新宿区ｘｘｘｘ」、電話番号「○○−○○○○−○○○○」となる。そして、端末特定部１３は、特定した場所を場所情報送信部１４へ通知する。これを受けて、場所情報送信部１４は、問い合わせ受信部１１から問い合わせメッセージを送信した利用者の電子メールアドレスを受取り、この電子メールアドレスに対して、遺失物のある場所を特定する情報を通知するための電子メールを送信する（ステップＳ６）。この電子メールには、遺失物がある場所を特定するための情報（設置場所名称、住所、電話番号）が含まれる。利用者は、受け取った電子メールに記載された場所に出向き遺失物を受け取るか、電話等で問い合わせを行うことが可能となる。
【００１５】
なお、遺失物が何者かによって拾得された場合、遺失物センターへ届くまでにタイミングのずれが生じる場合があるため、端末特定部１３は、問い合わせを受けてから所定時間（例えば、２４時間）後に捜索要求を出すようにしてもよい。さらに、端末特定部１３は、問い合わせを受けてから、所定時間（例えば、２時間）間隔で所定回数繰り返し捜索要求を出すようにしてもよい。また、場所情報は、電子メールに遺失物の在処を示す地図画像を添付したり、地図が閲覧可能なホームページのＵＲＬを記載するようにしてもよい。
【００１６】
このようにして、遺失物にタグ８を取り付けて、タグ読み取り端末４１〜４５によって捜索をするようにしたため、利用者は容易に遺失物７の捜索を行うことが可能となる。また、遺失物７を受取りに行った場合においても、容易に利用者と遺失物を結び付けることが可能となる。
【００１７】
なお、町中の至る所にタグ読み取り端末を設置するようにしてもよい。このようにすることによって、路上で落として拾得されていない遺失物であっても同様に問い合わせメッセージを管理サーバ１へ送信するようにすれば、場所情報送信部１４から通知される場所情報を頼りに落とし主である利用者自身が遺失物の捜索を行うことが可能となる。
【００１８】
また、図１における各処理部の機能を実現するためのプログラムをコンピュータ読み取り可能な記録媒体に記録して、この記録媒体に記録されたプログラムをコンピュータシステムに読み込ませ、実行することにより遺失物捜索を行ってもよい。なお、ここでいう「コンピュータシステム」とは、ＯＳや周辺機器等のハードウェアを含むものとする。また、「コンピュータシステム」は、ＷＷＷシステムを利用している場合であれば、ホームページ提供環境（あるいは表示環境）も含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（ＲＡＭ）のように、一定時間プログラムを保持しているものも含むものとする。
【００１９】
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【００２０】
【発明の効果】
以上説明したように、請求項１、２、３に記載の発明によれば、物を遺失した者は、どこで遺失したかがはっきりしない場合であっても、遺失物の捜索を行うことが可能になるという効果が得られる。また、利用者から問い合わせを受けてから捜索をするようにしたため、タグ読み取り端末が常にタグを検出して、検出した結果を蓄えておく方法に比べて、システムの負荷を大幅に低減することができるという効果も得られる。さらには、遺失物の特定をタグ識別番号で行うことができるため、物の形態や色、遺失した場所等で特定する必要がなく、容易に遺失物の特定をすることができるという効果が得られる。
【図面の簡単な説明】
【図１】本発明の一実施形態の構成を示すブロック図である。
【図２】図１に示す遺失物捜索装置の動作を示すフローチャートである。
【符号の説明】
１・・・管理サーバ
１１・・・問い合わせ受信部
１２・・・端末設置場所記憶部
１３・・・端末特定部
１４・・・場所情報送信部
２、３・・・通信装置
４１〜４５・・・タグ読み取り端末
５・・・インターネット
６・・・利用者端末
７・・・遺失物
８・・・タグ
【図１】
2004083219.tif 000003
【図２】
2004083219.tif 000004